(57)【要約】  【課題】  光ディスクを再生させることなく記録情報のコンテンツを簡便に知ることができる光ディスク及びディスク装置を提供する。【解決手段】  内周から外周に向けてリードインエリヤ、データエリヤ、リードアウトエリヤが形成された光ディスク１の情報記録面における各記録層に所要の情報を記録したとき、この記録部分のみを変色させる記録手段１１を備えたディスク装置１０であって、前記データエリヤに記録された情報に関するコンテンツ情報を入力する入力手段１５と、この入力手段１５の入力キーに対応するバーコードおよびQRコードのコードデータを記憶したメモリ１７ａと、この入力手段１５からの入力情報を受けて前記メモリ１７ａから対応するコードデータを読み出し、前記記録手段１１を制御して前記データエリヤの記録層の外周部側に、前記コンテンツ情報をバーコードまたはQRコードで書き込ませる制御手段１７と、を備えた。【選択図】      図６
2008016126.tif 000002
【特許請求の範囲】
【請求項１】
内周から外周に向けてリードインエリヤ、データエリヤ、リードアウトエリヤが形成され、ディスク装置の記録手段により前記各エリヤの情報記録面における記録層に所要の情報がそれぞれ記録されたとき、この記録部分のみが変色する光ディスクにおいて、
前記データエリヤの記録層の外周部側に、このデータエリヤに記録された情報に関するコンテンツ情報が情報記号により書き込まれてなる光ディスク。
【請求項２】
前記情報記号が、バーコードであることを特徴とする請求項１に記載の光ディスク。
【請求項３】
前記情報記号が、QRコードであることを特徴とする請求項１に記載の光ディスク。
【請求項４】
内周から外周に向けてリードインエリヤ、データエリヤ、リードアウトエリヤが形成された光ディスクの情報記録面における各記録層に所要の情報を記録したとき、この記録部分のみを変色させる記録手段を備えたディスク装置において、
前記データエリヤに記録された情報に関するコンテンツ情報を入力する入力手段と、
この入力手段の入力キーに対応するバーコードおよびQRコードのコードデータを記憶したメモリと、
この入力手段からの入力情報を受けて前記メモリから対応するコードデータを読み出し、前記記録手段を制御して前記データエリヤの記録層の外周部側に、前記コンテンツ情報をバーコードまたはQRコードで書き込ませる制御手段と、を備えたディスク装置。
【発明の詳細な説明】
【技術分野】
【０００１】
本発明は、映像・音声情報を記録するＣＤやＤＶＤ等の光ディスク及びディスク装置に係り、特に、再生せずに自作ディスクの記録内容を判別可能とする光ディスク及びディスク装置に関する。
【背景技術】
【０００２】
情報記録媒体に記録された情報の内容を知るには、通常、再生装置に情報記録媒体をセットして再生しなければならないが、このような煩瑣な操作を不要とするために各種の提案がなされている。
その一例として、パソコン等を扱えない人の利便性を高めることを目的にしたハイパーブックシステム（ＨＢＳ）が知られている。
このＨＢＳにおいては、ＨＢＳプレイヤー、光学読取器およびテレビジョン受像機を用いるようになっている。
そして、光ディスクであるＨＢＳディスクに情報を記録しており、このＨＢＳディスクとともに配布する印刷物の上に固有の座標点を示すバーコードやＱＲコードを予め印刷してある。
このＨＢＳを利用する場合は、ＨＢＳプレイヤーをテレビジョン受像機に接続し、光学読取器でバーコードやＱＲコードの上をなぞる。すると、これらコードの付加情報が読み取られ、テレビの画面に情報が表示されるとともに、スピーカから音声が放音される。
これにより、付加情報が例えば、家庭用通信機器の初期設定およびビデオの留守録設定であると、弱視者や難聴者が簡便に内容を知ることができる。
【特許文献１】特開平１０−２９３９６７号公報また、ディスクを再生することなく記録コンテンツを容易に知るためのディスク、その製造方法、記録・再生システム、および半導体記録装置が提案されている。このものは、ディスクの識別情報について、バーコードで印刷したシールを外部から視認可能なディスクの基盤面に予め貼り付けてある。また、記録再生装置またはリモコンにバーコード読取装置を設け、あるいは専用のバーコード読取装置を備えている。そして、このバーコード読取装置により、前記バーコードを読み取ると、表示部に識別情報が表示される。
【０００３】
さらに、基盤面の表面側に予めマーキング層を設けておき、このマーキング層に対しレーザーマーキング装置にてレーザーマーキングを行うことにより、識別情報を記録するようにしている。
このため、記録再生装置でディスクを再生させることなく、その識別情報を知ることができるというものである。
【特許文献２】特開２００３−１７３５４１号公報  また、ＣＤやＤＶＤといった光ディスクの商品管理を容易に確実にするために個別認識機能を設けた光ディスクが提案されている。
【０００４】
この光ディスクは、２枚の基板を接着したもので、主情報を記録する主情報領域と、この主情報領域に関した情報を記録する管理領域と、この管理領域よりも内側に形成され、個別認識情報を記録する個別認識領域を備えている。
この個別認識領域には、スクリーン印刷、インクジェットプリント、オフセット印刷、インキスタンプ等により、前記個別認識情報をバーコード、文字、数字、図形で記録してある。
これら個別認識情報は、再生装置の再生ビームにて読み取るが、外部から目視でも識別可能となっている。
これにより、光ディスクの個別認識情報を視認できるので、商品管理を容易行えるうえ、データの改竄をも防止し得るというものである。
【特許文献３】特開２００２−３１３０３１号公報また、光ディスク毎に異なる個別情報を記録する方法及び装置が提案されている。このものは、主要部として、個別情報に対応するバーコードを光ディスク内の記録層にレーザー光で書き込むバーコード書き込み機構と、前記バーコードを読み取るバーコード読み取り機構とを備えている。さらに、このバーコード読み取り機構は、高周波重畳回路を具備しており、読み取り用レーザ光の戻り光による干渉性を低減可能としている。このため、複層ディスク、単層ディスク、単層のピットアートディスクといった各種ディスクにおいても、それぞれのバーコードに含まれる個別情報を読み取ることができる。これにより、パソコン等により書き込むべき情報と書き込まれた情報との照合を正確に行えるというものである。
【特許文献４】特開２００３−６７９３１号公報
【発明の開示】
【発明が解決しようとする課題】
【０００５】
しかしながら、上記特許文献１のハイパーブックシステムは、ＨＢＳディスクとともに配布する印刷物の上にバーコードやＱＲコードを印刷して読み取らせるもので、これらのコードをディスク自体に記録して読み取らせることは考慮されていない。
このため、印刷物を紛失すると内容を簡便に知ることができないという問題が残されていた。
また、上記特許文献２の発明は、バーコードを読み取ることによってディスクの識別情報を得ることはできるが、記録がバーコードに限定されおり、例えば、ＱＲコードを使用してコンテンツを記録するものではなかった。よって、利用範囲が狭いものであった。
さらに、基盤面の表面側に予めマーキング層を設ける必要があるうえ、レーザーマーキング装置を余分に備えねばならないので、構造が複雑となり不経済であるという欠点もあった。
また、上記特許文献３の光ディスクは、バーコード等で記録した個別認識情報を再生装置で読み取ったり、外部から目視でも識別可能となっているが、光ディスクのコンテンツを記録するものではなく、しかもＱＲコードを使用してはいないので、前述の如く利用範囲に一定の限界があった。
また、上記特許文献４の発明は、各種のディスクにおいてもバーコードに含まれる個別情報を読み取り、書き込むべき情報と書き込まれた情報との照合を正確に行えるが、バーコードにコンテンツを記録したものではないため、ディスクの内容を知ることができないという不具合があった。
本発明は、上記課題に鑑みてなされたもので、光ディスクを再生させることなく記録情報のコンテンツを簡便に知ることができる光ディスク及びディスク装置を提供することを目的としている。                 
【課題を解決するための手段】
【０００６】
上記目的を達成するため本発明は、内周から外周に向けてリードインエリヤ、データエリヤ、リードアウトエリヤが形成され、ディスク装置の記録手段により前記各エリヤの情報記録面における記録層に所要の情報がそれぞれ記録されたとき、この記録部分のみが変色する光ディスクにおいて、前記データエリヤの記録層の外周部側に、このデータエリヤに記録された情報に関するコンテンツ情報が情報記号により書き込まれてなる光ディスクを特徴としている。
また、請求項２に記載の発明は、前記情報記号が、バーコードであることを特徴としている。
また、請求項３に記載の発明は、前記情報記号が、QRコードであることを特徴としている。
また、請求項４に記載の発明は、内周から外周に向けてリードインエリヤ、データエリヤ、リードアウトエリヤが形成された光ディスクの情報記録面における各記録層に所要の情報を記録したとき、この記録部分のみを変色させる記録手段を備えたディスク装置において、前記データエリヤに記録された情報に関するコンテンツ情報を入力する入力手段と、この入力手段の入力キーに対応するバーコードおよびQRコードのコードデータを記憶したメモリと、この入力手段からの入力情報を受けて前記メモリから対応するコードデータを読み出し、前記記録手段を制御して前記データエリヤの記録層の外周部側に、前記コンテンツ情報をバーコードまたはQRコードで書き込ませる制御手段と、を備えたことを特徴としている。
【発明の効果】
【０００７】
以上説明したように、本発明による光ディスクは、前記データエリヤの記録層の外周部側に、このデータエリヤに記録された情報に関するコンテンツ情報が情報記号により書き込まれて、この記録部分のみが変色しており、外部から視認可能となるので、光ディスクを再生装置にセットして再生させることなくコンテンツ情報を容易に知ることができ、煩瑣な操作が不要になる効果がある。
また、前記情報記号がバーコードであることから、バーコードリーダで読み取ることにより、簡便にコンテンツ情報を知ることができる利点がある。
また、前記情報記号がQRコードであることから、QRコードリーダで読み取ることにより、簡便にコンテンツ情報を知ることができる利点がある。
また、本発明のディスク装置は、入力手段により光ディスクのデータエリヤに記録された情報に関するコンテンツ情報を入力すると、前記データエリヤの記録層の外周部側に、前記コンテンツ情報がバーコードまたはQRコードで書き込まれ、外部から視認可能となるので、光ディスクを再生装置にセットして再生させることなくコンテンツ情報を容易に知ることができ、煩瑣な操作が不要になる効果がある
【発明を実施するための最良の形態】
【０００８】
以下、本発明に係る光ディスク及びディスク装置の実施形態について、図面を参照しながら詳述する。
図１は本発明の一実施形態である光ディスクの概要説明図である。
この光ディスクは、普及型のＤＶＤ１に適用されたもので、図6に示すＤＶＤレコーダー１０により、所要の情報を記録／再生するようになっている。
このＤＶＤ１は、中心孔１ａを有しており、一方の面が記録面１ｂで、他方の面が保護面１ｃとなっている。
記録面１ｂは、中心孔１ａ側の内周１ｄから外周１ｅに向けて記録トラックが螺旋状に形成されている。この記録面１ｂは、内周１ｄ側がリードインエリヤ２、外周１ｅ側がリードアウトエリヤ４であり、両エリヤ２，３の間がユーザーデータエリヤ４となっている。
リードインエリヤ２には、ＤＶＤ１の種別、タイプ、サイズ、記録密度、記録開始・終了位置を示す物理セクタ番号等のディスク全体に関する情報、その他１枚づつの製造に関する情報等が製造工程で記録される。
一方、リードアウトエリヤ４には、リードアウト情報として欠陥管理情報等が記録される。
そして、ユーザーデータエリヤ３に、動画や静止画情報および音声情報からなるオーディオ・ビデオデータ（ＡＶデータ）が記録される。
また、このユーザーデータエリヤ３には、その記録内容に関するタイトル、記録時間および解像度といったコンテンツ情報も記録される。
ところで、この普及型ＤＶＤ１は、透明の基板１Ａに記録トラックを形成し、情報の書き換えが可能な相変化型光ディスクである。
前記基板１Ａは、図３に示す如く断面が凹凸状で、記録面１ｂ側から保護面１ｃ側に向けて記録層５、反射層６、保護層７を設けた３層構造となっている。
記録層５は、結晶状態と非結晶質状態とに可逆的に変化する記録膜であり、これにレーザー光を照射すると、結晶状態と非結晶質状態とでは記録層５の反射率が変化するため、情報の記録・再生を行うことができる。
この記録層５に情報を記録したときは、記録部分が未記録部分とは異なる色に変色する。よって、ＤＶＤ１の記録面１ｂ側を視認すると、情報が記録済みであるか否かを容易に判別することができる。
図６は、本発明の一実施形態であるディスク装置の電気的構成を示すブロック線図である。
図６において、１１はディスクプレイヤー１０の光ピックアップ（ピックアップ）であり、後述のサーボ制御部１２によって動作が制御される。
このピックアップ１１には、図示しないレーザー制御回路の出力が導かれている。このレーザー制御回路は、ピックアップ１１から発生させるレーザー光の出力強度を調節し、記録データに応じた書き込みパルスを生成する。
そして、このピックアップ１１は、記録再生部１３からの情報を記録トラックのエリヤに書き込み、また、このエリヤから光学的に読み取った再生情報を記録再生部１３に出力する。
サーボ制御部１２は、制御部１７の制御に従い、ピックアップ１１から送出される各種受光出力をフィードバックし、ピックアップ１１に関するトラッキングサーボ、フォーカスサーボおよびスレッドサーボを制御する。
また、記録再生部１３は、記録すべき情報をピックアップ１１側に送出し、このピックアップ１１側から伝送されてくる再生情報をモニタ１４側に送出する。
このモニタ１４は、再生情報を受けて表示画面に映像を表示するとともに、スピーカから音声を放音させる。
１５はリモコンであり、再生、停止、早送り、早戻し、ポーズおよび録画用の各操作キーに加えテンキーや切替キーを備えている。
【０００９】
なお、このテンキーは、コード入力キーを兼ねており、各数字キーのそれぞれにバーコードおよびQRコードの各コードが割り当てられている。
【００１０】
切替キーは、テンキーの機能を変換するもので、操作する毎にテンキーを通常の数字キー、バーコード入力キーまたはQRコード入力キーの何れかに切替え可能となっている。
【００１１】
例えば、バーコード入力キーにしてテンキーを操作すると、バーコードの信号が送出され、QRコード入力キーに切替えてテンキーを操作すると、QRコードの信号が送出される。
１６は受信部であり、リモコン１５からの送信信号を受信すると、コントローラ１７側にその伝送信号を送出する。
なお、図示省略しているが、本例では、QRコードを読み取るQRコードリーダやバーコードを読み取るバーコードリーダを備えている。
制御部１７は、装置全体を制御するマイクロコンピュータであり、メモリ１７ａを備えている。
このメモリ１７ａには、バーコードのコードデータおよびQRコードのコードデータが予め記憶されている。
この制御部１７は、リモコン１５からの指令信号に応じて、サーボ制御部１２や記録再生部１３を制御し、ＤＶＤ１に情報を記録させる一方、その記録情報を再生させる制御を行う。
また、リモコン１５側よりバーコードまたはQRコードの信号が送出されてくると、メモリ１７ａから対応するコードデータを読み出して記録再生部１３に送出することにより、ＤＶＤ１にバーコードもしくはQRコードを書き込ませる制御をも行う構成になっている。
次に、上記ＤＶＤレコーダーの動作について、図を参照しつつ説明する。
ユーザーが、テレビ番組等をＤＶＤ１へ任意に記録したとき、その記録情報の内容を示すコンテンツをも記録する。
例えば、QRコードでコンテンツを書き込む場合、図6に示すリモコン１５の切替キーを操作してQRコード入力キーにしておく。
そして、テンキーを操作し、テレビ番組のタイトルや記録時間等を入力する。
これに伴い、リモコン１５側からQRコードの信号が送出されてくると、制御部１７はコード記録モードに移行し、サーボ制御部１２の動作を開始させる。
このサーボ制御部１２は、ピックアップ１１をＤＶＤ１のユーザーデータエリヤ３における外周部３ａ側に移動させる。
また、メモリ１７ａから各QRコードの信号に対応するコードデータを読み出して記録再生部１３に送出する。
すると、サーボ制御部１２は、トラッキングサーボ、フォーカスサーボおよびスレッドサーボを制御しつつ、レーザー制御回路の出力強度を調節し、QRコードデータに応じたレーザー光を出力させる。
これにより、図2（ａ）に示す保護面１ｃの反対側となる記録面１ｂに、同図（ｂ）の如くレーザー光Lが照射されて、図3に示す記録層５にQRコードが書き込まれる。
この結果、記録層５の記録部分が未記録部分とは異なる色に変色するので、ＤＶＤ１の記録面１ｂ側を視認すると、図4に示すように、QRコード８が記録されていることを容易に判別することができる。
このQRコード８は、ＤＶＤレコーダー１０に備えたQRコードリーダで読み取ることができる。また、携帯電話に設けたQRコードリーダでも読み取ることが可能である。
これにより、ＤＶＤ１をＤＶＤレコーダー１０で再生させることなく、簡便にテレビ番組等の内容を示すコンテンツを知ることができる。
なお、ユーザーがバーコードでコンテンツを記録したい場合、リモコン１５の切替キーを操作しバーコード入力キー側にしておき、テンキーの入力操作によりテレビ番組のタイトルや記録時間等を入力する。
すると、図3に示した記録面１ｂの記録層５にレーザー光Lが照射されて、バーコードが書き込まれる。
これにより、記録部分のみが変色するので、図5に示す如くＤＶＤ１の記録面１ｂ側にバーコード９が記録されていることを容易に判別できる。
このバーコード９は、バーコードリーダで読み取ることができるので、ＤＶＤ１をＤＶＤレコーダー１０で再生させることなく、簡便にコンテンツを知ることができる。
【００１２】
なお、本発明は上記の各実施形態に限定されず、本発明の趣旨を逸脱しない範囲で、種々の変更が可能である。
【図面の簡単な説明】
【００１３】
【図１】本発明の一実施形態である光ディスクの概要説明図である。
【図２】同光ディスクにコードを記録する工程を示す説明図である。
【図３】同光ディスクの基板の構造を示す縦断面図である。
【図４】QRコードを記録した光ディスクを示す平面図である。
【図５】バーコードを記録した光ディスクを示す平面図である。
【図６】本発明の一実施形態であるディスク装置の電気的構成を示すブロック線図である。
【符号の説明】
【００１４】
１        光ディスク
１０      ディスク装置
１１      記録手段
１５      入力手段
１７      制御手段
１７ａ    メモリ
【図１】
2008016126.tif 000003
【図２】
2008016126.tif 000004
【図３】
2008016126.tif 000005
【図４】
2008016126.tif 000006
【図５】
2008016126.tif 000007
【図６】
2008016126.tif 000008